(57)【要約】【課題】スイッチの切り替えを確実に行うことができるスライド操作式スイッチを提供すること。【解決手段】固定端子４３に対してスイッチ操作部１０とともにスライド移動され、スプリング５４によって固定端子４３に付勢される可動端子５５と、ボール５６とが保持されてなるスライダー５０と、節度感取得用摺接面７１とを有してなるスライド操作式スイッチ１において、１以上の磁石８２，８３からなる操作部側磁石部８１と、１以上の磁石８５，８６，８７，８８からなるハウジング側磁石部８４とを有し、ボール５６が山部７１ａの頂点を含む頂点近傍７１ａａに位置する場合、操作部側磁石部８１とハウジング側磁石部８４との同極の磁石８２，８３，８５，８６が近傍で向かい合わされるように配置されてなり、磁石８２，８３，８５，８６による斥力によってボール５６が谷部７１ｂに嵌るようにスライダー５０を強制移動させるスライダー強制移動部８０を有してなる。【選択図】図１
2013168338.tif 000002
【特許請求の範囲】
【請求項１】
ハウジングに固定された固定端子に対してスイッチ操作部とともにスライド移動され、スプリングと、該スプリングの一端側に配置され、前記スプリングによって前記固定端子に付勢される可動端子と、前記スプリングの他端側に配置されるボールとが保持されてなるスライダーと、前記ボールに摺接されるようにスライド方向に沿って山部、およびスイッチ切り替え完了位置にて前記ボールの一部が嵌る谷部が交互に形成されてなる節度感取得用摺接面と、を有してなるスライド操作式スイッチにおいて、
前記スイッチ操作部に設けられた１以上の磁石からなる操作部側磁石部と、前記ハウジングに設けられた１以上の磁石からなるハウジング側磁石部とを有し、前記ボールが前記山部の頂点を含む頂点近傍に位置する場合、前記操作部側磁石部と前記ハウジング側磁石部との同極の磁石が近傍で向かい合わされるように配置されてなり、前記同極の磁石による斥力によって前記ボールが前記谷部に嵌るように前記スライダーを強制移動させるスライダー強制移動部
を有してなることを特徴とするスライド操作式スイッチ。
【請求項２】
前記スライダー強制移動部は、
前記ハウジング側磁石部が、前記操作部側磁石部の磁石と異なる極の磁石をさらに有してなり、スイッチ切り替え完了位置にて、前記操作部側磁石部の磁石と前記ハウジング側磁石部の前記異なる極の磁石とが近傍で向かい合わされることを特徴とする請求項１または２に記載のスライド操作式スイッチ。
【発明の詳細な説明】
【技術分野】
【０００１】
本発明は、固定端子に対してスイッチ操作部とともに可動端子をスライド移動させるスライド操作式スイッチに関する。
【背景技術】
【０００２】
従来、スイッチ操作部とともにスライド移動されるスライダーに設けられた可動端子を所定の間隔を空けて配置された複数の固定端子のうち二つの固定端子に短絡接続させるスライド操作式スイッチがある。このようなスライド操作式スイッチは、スイッチの切り替え操作の節度感を得るようにしたものが提案されている。（例えば、特許文献１参照）。
【０００３】
特許文献１に記載されたスライド操作式スイッチは、ハウジングに固定された固定端子に対してスイッチ操作部とともにスライド移動され、スプリングと、スプリングの一端側に配置され、スプリングによって固定端子に付勢される可動端子と、スプリングの他端側に配置されるボールとが保持されてなるスライダーと、ボールに摺接されるようにスライド方向に沿って山部、およびスイッチ切り替え完了位置にてボールの一部が嵌る谷部が交互に形成されてなる節度感取得用摺接面とを有してなり、可動端子が二つの固定端子を短絡接続させる位置で、ボールの一部が谷部に嵌るようになっている。
【先行技術文献】
【特許文献】
【０００４】
【特許文献１】特開２０１１−１１３９３１号公報
【発明の概要】
【発明が解決しようとする課題】
【０００５】
しかしながら、特許文献１に記載されたスライド操作式スイッチは、ボールが節度感取得用摺接面の山部の頂点を含む頂点近傍に位置されると、スライダーがボールとスプリングと可動端子とによって節度感取得用摺接面上で安定して支持されるため、ボールが谷部に嵌る前、すなわちスイッチの切り替えが途中でスライダーが停止され易く、スイッチの切り替えが確実に行われないおそれがあった。
【０００６】
本発明は、上記に鑑みてなされたものであって、スイッチの切り替えを確実に行うことができるスライド操作式スイッチを提供することを目的とする。
【課題を解決するための手段】
【０００７】
上述した課題を解決し、目的を達成するために、本発明の請求項１に係るスライド操作式スイッチは、ハウジングに固定された固定端子に対してスイッチ操作部とともにスライド移動され、スプリングと、該スプリングの一端側に配置され、前記スプリングによって前記固定端子に付勢される可動端子と、前記スプリングの他端側に配置されるボールとが保持されてなるスライダーと、前記ボールに摺接されるようにスライド方向に沿って山部、およびスイッチ切り替え完了位置にて前記ボールの一部が嵌る谷部が交互に形成されてなる節度感取得用摺接面と、を有してなるスライド操作式スイッチにおいて、前記スイッチ操作部に設けられた１以上の磁石からなる操作部側磁石部と、前記ハウジングに設けられた１以上の磁石からなるハウジング側磁石部とを有し、前記ボールが前記山部の頂点を含む頂点近傍に位置する場合、前記操作部側磁石部と前記ハウジング側磁石部との同極の磁石が近傍で向かい合わされるように配置されてなり、前記同極の磁石による斥力によって前記ボールが前記谷部に嵌るように前記スライダーを強制移動させるスライダー強制移動部を有してなることを特徴とする。
【０００８】
また、本発明の請求項２に係るスライド操作式スイッチは、上記の発明において、前記スライダー強制移動部は、前記ハウジング側磁石部が、前記操作部側磁石部の磁石と異なる極の磁石をさらに有してなり、スイッチ切り替え完了位置にて、前記操作部側磁石部の磁石と前記ハウジング側磁石部の前記異なる極の磁石とが近傍で向かい合わされることを特徴とする。
【発明の効果】
【０００９】
本発明の請求項１に係るスライド操作式スイッチは、スライダー強制移動部が、前記ボールが前記山部の頂点を含む頂点近傍に位置する場合、前記操作部側磁石部と前記ハウジング側磁石部との同極の磁石が近傍で向かい合わされるように配置されてなり、前記同極の磁石による斥力によって前記ボールが前記谷部に嵌るように前記スライダーを強制移動させるので、前記スライダーが前記ボールと前記スプリングと前記可動端子とによって前記山部の頂点を含む頂点近傍で安定して支持されることによって、前記ボールが前記谷部に嵌る前、すなわちスイッチの切り替えが途中で前記スライダーが停止されそうになった際、前記スライダーを前記山部の頂点を含む頂点近傍から移動させて、前記ボールが前記節度感取得用摺接面の斜面を滑り落ちて前記谷部に嵌るようにすることができ、結果的にスイッチの切り替えを確実に行うことができる。
【００１０】
本発明の請求項２に係るスライド操作式スイッチは、スライダー強制移動部が、前記ハウジング側磁石部が、前記操作部側磁石部の磁石と異なる極の磁石をさらに有してなり、スイッチ切り替え完了位置にて、前記操作部側磁石部の磁石と前記ハウジング側磁石部の前記異なる極の磁石が近傍で向かい合わされるので、前記異なる極の磁石による引力によって前記ボールが前記谷部に嵌るように前記スライダーを強制移動させるので、結果的にスイッチの切り替えをより確実に行うことができる。
【図面の簡単な説明】
【００１１】
【図１】図１は、本発明の実施例に係るスライド操作式スイッチが組み込まれた車両室内照明灯の分解斜視図である。
【図２】図２は、図１に示したスイッチ操作部を上側から見た斜視図である。
【図３】図３は、図１に示したハウジングのハウジング側磁石部周辺を拡大した図である。
【図４】図４は、図１に示したスイッチ操作部のスライド移動とともにスライダーがスライド移動されることを説明するための図である。
【図５】図５は、図１に示した機能部の分解斜視図である。
【図６】図６は、図５に示した機能部の下面図である。
【図７】図７は、図１に示したスライダーの拡大斜視図である。
【図８】図８は、図５に示したスライダーの拡大図である。
【図９】図９は、図７に示したスライダーのＡ−Ａ線断面図である。
【図１０】図１０は、図６に示した機能部のＡ−Ａ線断面図であり、スライダーがオンモードの位置にあるものを示した図である。
【図１１】図１１は、図６に示した機能部のＡ−Ａ線断面図であり、スライダーがオンモードからドアモードに移動される途中にあるものを示した図である。
【図１２】図１２は、図６に示した機能部のＡ−Ａ線断面図であり、スライダーがドアモードの位置にあるものを示した図である。
【図１３】図１３は、スイッチ操作部がオンモードの位置にある場合のスライダー強制移動部の作用を説明するための図である。
【図１４】図１４は、スイッチ操作部がオンモードからドアモードにスライド移動される途中位置でのスライダー強制移動部の作用を説明するための図である。
【図１５】図１５は、図１４に示したスライダー強制移動部の要部拡大図である。
【図１６】図１６は、スイッチ操作部がドアモードの位置にある場合のスライダー強制移動部の作用を説明するための図である。
【図１７】図１７は、本発明の実施例に係るスライド操作式スイッチの変形例を示した図である。
【図１８】図１８は、本発明の実施例に係るスライド操作式スイッチの変形例を示した図である。
【発明を実施するための形態】
【００１２】
以下、図面を参照して、本発明に係るスライド操作式スイッチの好適な実施例を詳細に説明する。
【実施例】
【００１３】
図１は、本発明の実施例に係るスライド操作式スイッチ１が組み込まれた車両室内照明灯３００の分解斜視図である。図２は、図１に示したスイッチ操作部１０を上側から見た斜視図である。図３は、図１に示したハウジング２０のハウジング側磁石部８４周辺を拡大した図である。図４は、図１に示したスイッチ操作部１０のスライド移動とともにスライダー５０がスライド移動されることを説明するための図である。図５は、図１に示した機能部３０の分解斜視図である。図６は、図５に示した機能部３０の下面図である。図７は、図１に示したスライダー５０の拡大斜視図である。図８は、図５に示したスライダー５０の拡大図である。図９は、図７に示したスライダー５０のＡ−Ａ線断面図である。
なお、便宜上、図中矢印の方向を、前後左右上下方向とする。
【００１４】
本発明の実施例に係るスライド操作式スイッチ１は、ハウジング２０に固定された固定端子４３に対してスイッチ操作部１０とともにスライド移動され、スプリング５４と、スプリング５４の一端側に配置され、スプリング５４によって固定端子４３に付勢される可動端子５５と、スプリング５４の他端側に配置されるボール５６とが保持されてなるスライダー５０と、ボール５６に摺接されるようにスライド方向に沿って山部７１ａ、およびスイッチ切り替え完了位置にてボール５６の一部が嵌る谷部７１ｂが交互に形成されてなる節度感取得用摺接面７１と、ボール５６が谷部７１ｂに嵌るようにスライダー５０を強制移動させるスライダー強制移動部８０と、を有してなる。
【００１５】
この実施例のスライド操作式スイッチ１は、車両の天井に設けられる車両室内照明灯３００に組み込まれるものである。このスライド操作式スイッチ１は、車両室内照明灯３００のオンモードおよびドアモードのモードの切り替えを行うための２極スイッチである。
ここで、オンモードとは、照明が常時点灯されるモードであり、ドアモードとは、車両のドアが開けられた場合に照明が点灯され、ドアが閉じられた場合に照明が消灯されるモードである。
【００１６】
車両室内照明灯３００は、レンズ部３１０と、スイッチ操作部１０と、ハウジング２０と、機能部３０とを有してなる。
まず、レンズ部３１０について説明する。
レンズ部３１０は、後述する光源となるバルブ３２０から照射された光が透過されるように光透過性の樹脂からなり、ハウジング２０の下面２０ａを覆うカバーである。このレンズ部３１０は、レンズ機能に加え、室内側にその表面を向けて配置されることによって意匠部としても機能される。
【００１７】
次に、スイッチ操作部１０について説明する。
スイッチ操作部１０は、操作者がスイッチの切り替え操作を行うための操作部である。このスイッチ操作部１０は、スライド方向を長手方向とする長方形状の板状基部１１の中央位置に摘み操作部１２が突設されてなる。操作者はこの摘み操作部１２を摘まむことによってスイッチ操作部１０をスライド移動させるようになっている。
また、スイッチ操作部１０は、図２に示すように、スイッチ操作部１０をスライド移動可能に支持する４箇所のガイド支持部１３と、スライダー５０に連結される連結部１４と、スライダー強制移動部８０としての操作部側磁石部８１とを有してなる。
【００１８】
各ガイド支持部１３は、スイッチ操作部１０のハウジング２０への取付面１１ａ（以下、「操作部取付面」という。）、かつ板状基部１１の縁に沿ってスイッチ操作部１０が均等に支持されるように鉤状に突設されてなる。各ガイド支持部１３が、ハウジング２０に形成された後述する各スライドガイド溝部２２ａに嵌め込まれることによってスイッチ操作部１０がスライド方向にガイドされるようになっている。
【００１９】
連結部１４は、操作部取付面１１ａの中央前縁から上方に向けて片状に突出された一対の突出片部１４ａからなる。この一対の突出片部１４ａによって後述する連結用突起部５３が挟持されることによって、スイッチ操作部１０とスライダー５０とが連結され、スイッチ操作部１０がスライド移動されることによってスライダー５０がスライド移動されるようになっている。
【００２０】
操作部側磁石部８１は、操作部側第一Ｎ極磁石８２と、操作部側第二Ｎ極磁石８３を有してなる。操作部側第一Ｎ極磁石８２および操作部側第二Ｎ極磁石８３のそれぞれは、操作部取付面１１ａに突設され、突出部分８２ａ，８３ａの横断面が矩形状をなすＮ極磁石である。
操作部側第一Ｎ極磁石８２と、操作部側第二Ｎ極磁石８３とは、後述するハウジング側第一Ｎ極磁石８５とハウジング側第二Ｎ極磁石８６との間隔に等しい間隔を空けて配置されてなる。
この操作部側磁石部８１は、後述するハウジング側磁石部８４との間で作用される磁力、すなわち斥力、および引力によってボール５６が谷部７１ｂに嵌るようにスライダー５０を強制移動するものである。
【００２１】
次に、ハウジング２０について説明する。
ハウジング２０は車両室内照明灯３００の本体を形成する部分であるとともにスライド操作式スイッチ１の本体を形成する部分である。
このハウジング２０は、外形が略矩形状の板状をなし、下面２０ａにスイッチ操作部１０、およびレンズ部３１０が組み付けられ、上面２０ｂに機能部３０が組み付けられるようになっている。
このハウジング２０は、図１に示すように、レンズ部３１０が係止されるレンズ係止部２１と、スイッチ操作部１０がスライド移動可能に取り付けられるスイッチ取付部２２と、機能部３０の後述する機能部収容ケース６０が取り付けられる機能取付部２３とが設けられている。
【００２２】
レンズ係止部２１は、ハウジング２０の縁に沿ってレンズ部３１０の外周縁を囲う枠部２１ａに形成された凹部２１ｂである。このレンズ係止部２１は、レンズ部３１０の外周縁から突起されたレンズ係止用突起部３１０ａが嵌め込まれることによってレンズ部３１０をハウジング２０に係止させる部分である。
【００２３】
スイッチ取付部２２は、スイッチ操作部１０の各ガイド支持部１３が嵌め込まれるガイド溝部２２ａと、ハウジング２０に形成された開口からなるスライド用開口部２２ｂと、スライダー強制移動部８０としての、ハウジング側磁石部８４とを有してなる。
【００２４】
ガイド溝部２２ａは、各ガイド支持部１３に対応させて下面２０ａ上の４箇所に形成されてなる。
スライド用開口部２２ｂは、スライド方向を長手とする長方形状の開口である。連結部１４がハウジング２０の下面２０ａから上面２０ｂに向けて挿通され、スイッチ操作部１０がスライド用開口部２２ｂ内で連結部１４によって連結用突起部５３に連結された状態でスライド移動されるようになっている。
【００２５】
ハウジング側磁石部８４は、図３に示すように、ハウジング側第一Ｎ極磁石８５と、ハウジング側第二Ｎ極磁石８６と、ハウジング側第一Ｓ極磁石８７と、ハウジング側第二Ｓ極磁石８８とを有してなる。
ハウジング側第一Ｎ極磁石８５、およびハウジング側第二Ｎ極磁石８６は、横断面の形状が、操作部側第一Ｎ極磁石８２および操作部側第二Ｎ極磁石８３の突出部分８２ａ、８３ａの横断面形状と略等しい直方体の磁石である。ハウジング側第一Ｎ極磁石８５およびハウジング側第二Ｎ極磁石８６は、スライド用開口部２２ｂのスライド方向で向かい合う両端縁の各端縁に設けられ、それぞれの側面が各端縁の端縁面の一部を形成するように切り欠き部２４に嵌め込まれている。
【００２６】
これら、ハウジング側第一Ｎ極磁石８５、およびハウジング側第二Ｎ極磁石８６が、操作部側第一Ｎ極磁石８２、および操作部側第二Ｎ極磁石８３のそれぞれに向かい合う位置にスイッチ操作部１０がスライド移動された場合、スイッチ操作部１０とハウジング２０との間で磁石による斥力が作用され、スイッチ操作部１０が停止されずにスライド移動されるようになっている。
【００２７】
ハウジング側第一Ｓ極磁石８７、およびハウジング側第二Ｓ極磁石８８は、ハウジング側第一Ｎ極磁石８５、およびハウジング側第二Ｎ極磁石８６と同様な直方体の磁石である。ハウジング側第一Ｓ極磁石８７は、ハウジング側第一Ｎ極端子８５に比してスライド方向右側位置で下面２０ａ上の凹部２１ｃに嵌めこまれている。ハウジング側第二Ｓ極磁石８８は、ハウジング側第二Ｎ極端子８６に比してスライド方向左側位置で下面２０ａ上の凹部２１ｄに嵌めこまれている。
【００２８】
このハウジング側磁石部８４は、操作部側磁石部８１との間で作用される磁力、すなわち斥力、および引力によってボール５６が谷部７１ｂに嵌るようにスライダー５０を強制移動させるようになっている。
【００２９】
機能取付部２３は、機能部収容ケース６０のケース取付用係止突起６４が嵌め込まれるケース係止孔２３ａと、バルブ３２０の照明光がハウジング２０を通過されるようにハウジング２０に形成された開口である照明用開口部２３ｂとを有してなる。
【００３０】
次に、機能部３０について説明する。
機能部３０は、車両室内照明灯３００の光源となるバルブ３２０を有し、スイッチ操作に応じてバルブ３２０に外部からの電力を供給させる機能をなすものである。
この機能部３０は、図５および図６に示すように、バルブ３２０と、バスバー４０と、スライダー５０と、機能部収容ケース６０と、電線保持部用カバー３１と、スライダー収容部用カバー３２とを有してなる。
【００３１】
バスバー４０は、金属板状部材が金型プレスによって成形されてなり、バルブ３２０の電極に接続されるバルブ接続部４１と、電源配線等の外部に接続される不図示の電線が接続される電線接続部４２と、可動端子５５の接点となる固定端子４３とを有してなる。
【００３２】
固定端子４３は、スライド方向に沿って並ぶ第一固定端子４３ａと、第二固定端子４３ｂと、第三固定端子４３ｃとを有してなる。各固定端子４３は、可動端子５５に接触されやすいように上方に向けて膨出された膨出部が形成されてなる。第一固定端子４３ａと、第二固定端子４３ｂとに可動端子５５が短絡接続されることによって、上述したオンモードとなり、第二固定端子４３ｂと、第三固定端子４３ｃとに可動端子５５が短絡接続されることによって、上述したドアモードになる。
【００３３】
スライダー５０は、ハウジング２０に固定された固定端子４３に対してスイッチ操作部１０とともにスライド移動され、スプリング５４と、スプリング５４の一端側に配置され、スプリング５４によって固定端子４３に付勢される可動端子５５と、スプリング５４の他端側に配置されるボール５６とが保持される部分である。
このスライダー５０は、図８および図９に示すように、本体を構成するスライド本体部５１を有してなる。このスライド本体部５１は、板状の金属部材がコの字状に屈曲されてなる可動端子５５と、スプリング５４と、ボール５６とが収容される収容部５２と、スイッチ操作部１０との連結部分になる連結用突起部５３と、を有してなる。
【００３４】
収容部５２は、下部が開口された箱型形状をなし、ボール５６が回転可能に保持されるボール保持部５２ａと、可動端子５５の後述する一対の係止突起部５５ｂが引っ掛かる一対の引掛り突起部５２ｂを有してなる。
【００３５】
ボール保持部５２ａは、収容部５２の上壁に設けられ、ボール５６の上部が嵌め込まれることによって収容部５２内にボール５６が位置決めされるボール位置決め部５２ａａと、ボール位置決め部５２ａａに嵌め込まれたボール５６がスプリング５４に付勢されることによって収容部５２の上壁から収容部５２外に露出されるように形成された開口であるボール露出用開口部５２ａｂとを有してなる。
【００３６】
一対の引掛り突起部５２ｂは、収容部５２の向かい合う一対の側壁の下部内面から突起された部分であり、上方に屈曲された可動端子５５の両端部５５ａ側面から突起された一対の係止突起部５５ｂの各係止突起５５ｂが引っ掛かるようになっている。この一対の引掛り突起部５５ｂは、スプリング５４によって下方に付勢された可動端子５５が収容部５２外に飛び出さないように係止するものである。
【００３７】
連結用突起部５３は、収容部５２の前側の側壁から前方に向けて突出された後、上方に向けて屈曲されてなる突起部である。この連結用突起部５３は、上端部５３ａが連結部１４に連結されるようになっている。
【００３８】
機能部収容ケース６０は、バルブ３２０と、バスバー４０と、スライダー５０とが収容されるケースであり、スライダー５０が収容されるとともにその移動がガイドされるスライダー収容部６１と、上述した不図示の電線が保持される電線保持部と、バルブ３２０に接続されたバスバー４０が収容されるバルブ収容部６３と、を有してなる。
【００３９】
スライダー収容部６１は、ボール５６に摺接されるようにスライド方向に沿って山部７１ａ、およびスイッチ切り替え完了位置にてボール５６の一部が嵌る谷部７１ｂが交互に形成されてなる節度感取得用摺接面７１が形成されてなる移動ガイド部７０を有してなる。
この節度感取得用摺接面７１の谷部７１ｂにボール５６が嵌ることによってオンモード、およびドアモードのスイッチ切り替えによるスライダー５０の位置決めがなされるようになっている。
また、節度感取得用摺接面７１は、ボール５６がスライド移動される際、山部７１、谷部７１ｂに交互に摺接されながら移動されるため、操作者がスイッチの切り替え操作の節度感を得ることができるようになっている。
【００４０】
このスライダー収容部６１の下部開口はスライダー収容部用カバー３２によって塞がれるようになっている。ここで、スライダー５０の連結用突起部５３は、スライダー収容部６１の前側で収容部内が一部拡張された部分に配置され、スライダー収容部用カバー３２から露出されることによって、連結部１４に連結できるようになっている。
【００４１】
また、スライダー収容部用カバー３２の内面には固定端子４３の外形形状に対応して形成された固定端子位置決め溝３２ａが形成され、バルブ収容部６３に収容されたバスバー４０から延びた固定端子４３がスライダー収容部６１内で位置決めされるようになっている。このため、可動端子５５はスライダー収容部６１の下部で固定端子４３に接続されるようになっている。
【００４２】
電線保持部６２は、下部開口が電線保持部用カバー３１によって塞がれるようになっている。
【００４３】
このような機能部３０は、機能部収容ケース６０を介してハウジング２０の上面２０ｂ側からハウジング２０に組み付けられ、ハウジング２０の下面２０ａ側から組み付けられたスイッチ操作部１０の連結部１４によってスライダー５０が連結され、図４に示すように、操作者によるスイッチ操作部１０のスライド移動とともにスライダー５０がスライド移動される。なお、固定端子４３は、機能部収容ケース６０がハウジング２０に組み付けられることによって、ハウジング２０に固定される。
【００４４】
次に、図１０−図１６を用いて車両室内照明灯３００がオンモードからドアモードに切り替えられる場合のスライド操作式スイッチ１によるスイッチ切り替え動作について説明する。図１０は、図６に示した機能部３０のＡ−Ａ線断面図であり、スライダー５０がオンモードの位置にあるものを示した図である。図１１は、図６に示した機能部３０のＡ−Ａ線断面図であり、スライダー５０がオンモードからドアモードに移動される途中にあるものを示した図である。図１２は、図６に示した機能部３０のＡ−Ａ線断面図であり、スライダー５０がドアモードの位置にあるものを示した図である。図１３は、スイッチ操作部１０がオンモードの位置にある場合のスライダー強制移動部８０の作用を説明するための図である。図１４は、スイッチ操作部１０がオンモードからドアモードにスライド移動される途中位置でのスライダー強制移動部８０の作用を説明するための図である。図１５は、図１４に示したスライダー強制移動部８０の要部拡大図である。
図１６は、スイッチ操作部１０がドアモードの位置にある場合のスライダー強制移動部８０の作用を説明するための図である。
なお、図１０−図１２において、下図は、上図のスライダー５０周辺を拡大した図である
また、図１３、１４、１６において、上図は、車両室内照明灯３００の下面図であり、下図は、上図に示した車両室内照明灯３００のＡ−Ａ線断面図である。
【００４５】
車両室内照明灯３００がオンモードの場合、図１０に示すように、ボール５６の一部が谷部７１ｂに嵌っているので、スライダー５０がスライダー収容部６１内のオンモードの位置に位置決めされている。
また、図１３に示すように、操作部側第一Ｎ極磁石８２と、ハウジング側第一Ｓ極磁石８７とが近傍で向かいあう位置にあるため、引力が作用されスイッチ操作部１０に連結されたスライダー５０がオンモードの位置に確実に位置決めされる。
【００４６】
その後、オンモードからドアモードにスイッチを切り替えるため、作業者によってスイッチ操作部１０がスライド移動開始されると、図１１に示すように、ボール５６が節度感取得用摺接面７１の斜面に摺接されながら移動され、図１２に示すように、山部７１ａの頂点を含む頂点近傍７１ａａに位置される。
このようにボール５６が山部７１ａの頂点を含む頂点近傍７１ａａに位置される場合、図１４および図１５に示すように、操作部側第一Ｎ極磁石８２と、ハウジング側第一Ｎ極磁石８５が近傍で向かい合う位置にあり、かつ操作部側第二Ｎ極磁石８３と、ハウジング側第二Ｎ極磁石８６が近傍で向かい合う位置にあるため、斥力が作用されスイッチ操作部１０に連結されたスライダー５０が停止されない。このため、スライダー５０が移動され、ボール５６が節度感取得用摺接面７１の斜面を滑り落ちてスライダー５０に近い側の谷部７１ｂに嵌ることによって、スライダー５０がスイッチ切り替え完了位置に位置される。
すなわち、ボール５６が、節度感取得用摺接面７１のオンモード側に傾斜された斜面を滑り落ちた場合、スライダー５０がオンモードに対応した谷部７１ｂによって位置決めされる。一方、ボール５６が、節度感取得用摺接面７１のドアモード側に傾斜された斜面を滑り落ちた場合、スライダー５０がドアモードに対応した谷部７１ｂによって位置決めされる。
【００４７】
スライダー５０がドアモードに対応した谷部７１ｂによって位置決めされると、すなわち、車両室内照明灯３００がドアモードの場合、図１６に示すように、操作部側第二Ｎ極磁石８３と、ハウジング側第二Ｓ極磁石８８とが近傍で向かいあう位置にあるため、引力が作用されスイッチ操作部１０に連結されたスライダー５０がドアモードの位置に確実に位置決めされる。
【００４８】
本発明の実施例に係るスライド操作式スイッチ１は、スライダー強制移動部８０が、ボール５６が山部７１ａの頂点を含む頂点近傍に位置する場合、操作部側磁石部１８とハウジング側磁石部８４との同極の磁石８２，８３，８５，８６が近傍で向かい合わされるように配置されてなり、同極の磁石８２，８３，８５，８６による斥力によってボール５６が谷部７１ｂに嵌るようにスライダー５０を強制移動させるので、スライダー５０がボール５６とスプリング５４と可動端子５５とによって山部７１ａの頂点を含む頂点近傍で安定して支持されることによって、ボール５６が谷部７１ｂに嵌る前、すなわちスイッチの切り替えが途中でスライダー５０が停止されそうになった際、スライダー５０を山部７１ａの頂点を含む頂点近傍７１ａａから移動させて、ボール５６が節度感取得用摺接面７１の斜面を滑り落ちて谷部７１ｂに嵌るようにすることができ、結果的にスイッチの切り替えを確実に行うことができる。
【００４９】
また、本発明の実施例に係るスライド操作式スイッチ１は、スライダー強制移動部８０が、ハウジング側磁石部８４が操作部側磁石部８１の磁石８２，８３と異なる極の磁石８７，８８をさらに有してなり、スイッチ切り替え完了位置にて、操作部側磁石部８１の磁石８２，８３とハウジング側磁石部８４の異なる極の磁石８７，８８が近傍で向かい合わされるので、異なる極の磁石８２，８３，８７，８８による引力によってボール５６が谷部７１ｂに嵌るようにスライダー５０を強制移動させるので、結果的にスイッチの切り替えをより確実に行うことができる。
【００５０】
なお、本発明の実施例に係るスライド操作式スイッチ１は、スライダー強制移動部８０が、操作部側第一Ｎ極磁石８２と、操作部側第二Ｎ極磁石８３と、ハウジング側第一Ｎ極磁石８５と、ハウジング側第二Ｎ極磁石８６と、ハウジング側第一Ｓ極磁石８７と、ハウジング側第二Ｓ極磁石８８とを有してなるものを例示したが、これに限らず、スイッチ操作部１０に設けられた１以上の磁石からなる操作部側磁石部８１と、ハウジング２０に設けられた１以上の磁石からなるハウジング側磁石部８４とを有し、ボール５６が山部７１ａの頂点を含む頂点近傍７１ａａに位置する場合、操作部側磁石部８１とハウジング側磁石部８４との同極の磁石が近傍で向かい合わされるように配置されてなり、同極の磁石による斥力によってボール５６が谷部７１ｂに嵌るようにスライダー５０を強制移動させることができればよい。例えば、操作部側磁石部８１に用いる二つの磁石としてＳ極磁石を用いても構わない。
【００５１】
また、本発明の実施例に係るスライド操作式スイッチ１は、オンモードとドアモードとを切り替える２極スイッチであるものを例示したが、これに限らず、２極以上のスイッチであればその他の多極スイッチに適用しても構わない。すなわち、操作部側磁石部８１およびハウジング側磁石部８４の磁石の数についてはスイッチの極数に応じて適宜設定するとよい。
【００５２】
また、本発明の実施例に係るスライド操作式スイッチ１は、ハウジング側第一Ｓ極磁石８７およびハウジング側第二Ｓ極磁石８８を設けることによってスイッチ切り替え完了位置にて操作部側磁石部８１と、ハウジング側磁石部８４との間に引力を作用させるものを例示したが、これに限らず、図１７に示すように、ハウジング側第一Ｓ極磁石８７およびハウジング側第二Ｓ極磁石８８を設けないようにしてもよい。すなわち、磁石による斥力のみを利用してボール５６が山部７１ａの頂点を含む頂点近傍７１ａａのから谷部７１ｂに強制移動されるようにしても構わない。あるいは、磁石による斥力のみを利用する構成として、図１８に示すように、操作部側第二Ｎ極磁石８３、およびハウジング側第二Ｎ極磁石８６をさらに設けない構成（図１８（ｂ）参照）、または、操作部側第一Ｎ極磁石８２、およびハウジング側第一Ｎ極磁石８５をさらに設けない構成（図１８（ｃ）参照）にしても構わない。
【００５３】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５４】
１        スライド操作式スイッチ
１０      スイッチ操作部
１１      板状基部
１１ａ    操作部取付面
１２      摘み操作部
１３      ガイド支持部
１４      連結部
１４ａ    突出片部
２０      ハウジング
２０ａ    下面
２０ｂ    上面
２１      レンズ係止部
２１ａ    枠部
２１ｂ，２１ｃ，２１ｄ  凹部
２２      スイッチ取付部
２２ａ    スライドガイド溝部
２２ｂ    スライド用開口部
２３      機能取付部
２３ａ    ケース係止孔
２３ｂ    照明用開口部
２４      切り欠き部
３０      機能部
３１      電線保持用カバー
３２      スライダー収容部用カバー
３２ａ    固定端子位置決め溝
４０      バスバー
４１      バルブ接続部
４２      電線接続部
４３      固定端子
４３ａ    第一固定端子
４３ｂ    第二固定端子
４３ｃ    第三固定端子
５０      スライダー
５１      スライド本体部
５２      収容部
５２ａ    ボール保持部
５２ａａ  ボール位置決め部
５２ａｂ  ボール露出用開口部
５２ｂ    引掛り突起部
５３      連結用突起部
５３ａ    上端部
５４      スプリング
５５      可動端子
５５ａ    端部
５５ｂ    係止突起部
５６      ボール
６０      機能部収容ケース
６１      スライダー収容部
６２      電線保持部
６３      バルブ収容部
６４      ケース取付用係止突起
７０      移動ガイド部
７１      節度感取得用摺接面
７１ａ    山部
７１ａａ  頂点近傍
７１ｂ    谷部
８０      スライダー強制移動部
８１      操作部側磁石部
８２      操作部側第一Ｎ極磁石
８２ａ、８３ａ  突出部分
８３      操作部側第二Ｎ極磁石
８４      ハウジング側磁石部
８５      ハウジング側第一Ｎ極磁石
８６      ハウジング側第二Ｎ極磁石
８７      ハウジング側第一Ｓ極磁石
８８      ハウジング側第二Ｓ極磁石
３００    車両室内照明灯
３１０    レンズ部
３１０ａ  レンズ係止用突起部
３２０    バルブ
【図１】
2013168338.tif 000003
【図２】
2013168338.tif 000004
【図３】
2013168338.tif 000005
【図４】
2013168338.tif 000006
【図５】
2013168338.tif 000007
【図６】
2013168338.tif 000008
【図７】
2013168338.tif 000009
【図８】
2013168338.tif 000010
【図９】
2013168338.tif 000011
【図１０】
2013168338.tif 000012
【図１１】
2013168338.tif 000013
【図１２】
2013168338.tif 000014
【図１３】
2013168338.tif 000015
【図１４】
2013168338.tif 000016
【図１５】
2013168338.tif 000017
【図１６】
2013168338.tif 000018
【図１７】
2013168338.tif 000019
【図１８】
2013168338.tif 000020